(57)【要約】【課題】全閉から全開の間で開口調節位置を設けることができる構造の換気口を提供することを目的とする。【解決手段】パネル部４の裏面に円筒形５と円筒形５のパネル部４側に回転が規制される形状からなる軸部６を設け、本体部３の筒内に設けられた軸支持部８に回転自在に支持される回転体７に前後方向移動自在に収納される換気口において、軸部６の円筒形５の外周部に係合突部１３を設け、回転体７の内周面にパネル部４を前後方向に移動操作することによる軸部６の前後方向の移動にともなって、回転体７を回転、あるいは軸部６を所定位置に保持する連続的な係合凹部２５を設けた構成とすることにより、全閉から全開の間で開口調節位置を設けることができる構造の換気口が得られる。【選択図】図１
2006242446.tif 000002
【特許請求の範囲】
【請求項１】
室内と室外を連通する通風路を形成する筒状の本体部と、前記本体部の前面開口部に前後方向移動自在に配設され、この前面開口部を開閉するパネル部とを有し、前記パネル部の裏面に、円筒形と前記円筒形の前記パネル部側に回転が規制される形状からなる軸部を設け、前記本体部内に筒状で前記軸部をその内部に前後方向移動自在に支持する回転体を設け、前記回転体を回転自在に支持し、かつ、軸部を回転規制し、前後方向移動自在に支持する軸支持部を設け、前記軸部を弾性部材により常に前記パネル部側に移動するように付勢した換気口において、前記軸部の円筒形の外周部に係合突部を設け、前記パネル部を前後方向に移動操作することによる前記軸部の前後方向の移動にともなって、前記回転体を回転、あるいは前記軸部を所定位置に保持する連続的な係合凹部を設けたことを特徴とする換気口。
【請求項２】
回転体は、軸方向に２分割して形成した請求項１記載の換気口。
【請求項３】
軸支持部は、前方から着脱可能とした請求項１または２記載の換気口。
【請求項４】
パネル部裏面に本体部の筒状内側に沿うガイドを設けた請求項１〜３のいずれかに記載の換気口。
【請求項５】
フィルターを本体部筒状内部の後方に設けた請求項１〜３のいずれかに記載の換気口。
【請求項６】
吸音部材を本体部筒状内部に設けた請求項１〜３のいずれかに記載の換気口。
【発明の詳細な説明】
【技術分野】
【０００１】
本発明は、室内側と室外側を連通するように天井面、壁面に設けられるダクトに装着される換気口に関する。
【背景技術】
【０００２】
近年、建物の高気密化にともない、換気の重要性が高まりつつあり、換気口を設置することが普及してきている。
【０００３】
従来、この種の換気口は、換気口の本体部の室内側開口を開閉するパネル部を設けたものが知られている（例えば、特許文献１参照）。
【０００４】
以下、その構成について図２８を参照にしながら説明する。
【０００５】
図に示すように、室内と室外を連通する換気風路を形成するダクト（図示せず）に嵌挿する筒状で、前部にはフランジ部１０１を設けた本体部１０２と、本体部１０２前面に前後方向移動自在に配設されるグリル部１０３と、グリル部１０３の裏面に連結されるシャフト１０４と、シャフト１０４を抱くように形成され、本体部１０２の筒体１０５に回動自在に設けられるハートカム１０６と、シャフト１０４を常にグリル部１０３側に付勢する弾性部材１０７と、筒体１０５に弾性部材１０７を保持する保持部１０８とからなり、シャフト１０４は、その先端部に設けられたカムガイドピン１０９がハートカム１０６の内周に軸方向に形成されたカム溝１１０に係合し、その係合が所定の位置で係合されることによって、前後方向の位置が保持されていた。
【特許文献１】登録実用新案第３０５９３５６号公報（第８から１２頁、図１、２，６，７）
【発明の開示】
【発明が解決しようとする課題】
【０００６】
このような従来の換気口の構成では、グリル部１０３と本体部１０２の室内側開口は、グリル部１０３を押す動作によって、グリル部１０３に連結されたシャフト１０４が反グリル部１０３の方向へ移動し、その移動に連動してハートカム１０６が回動し、シャフト１０４とハートカム１０６との係合位置を変えることで、調節していた。
【０００７】
したがって、全閉から全開の間で開口調節位置を設ける場合にハートカム１０６のカム溝に全閉から全開の間の係合位置を設けなければならないが、カム溝の形状が複雑になる。また、一対のハートカムを必要とするので、周方向に大きく溝を形成することが困難である課題があった。
【０００８】
本発明は上記課題を解決するもので、全閉から全開の間で開口調節位置を設けることができる構造の換気口を提供することを目的とする。
【課題を解決するための手段】
【０００９】
前記従来の課題を解決するために、本発明の換気口は、室内と室外を連通する通風路を形成する筒状の本体部と、前記本体部の前面開口部に前後方向移動自在に配設され、この前面開口部を開閉するパネル部とを有し、前記パネル部の裏面に、円筒形と前記円筒形の前記パネル部側に回転が規制される形状からなる軸部を設け、前記本体部内に筒状で前記軸部をその内部に前後方向移動自在に支持する回転体を設け、前記回転体を回転自在に支持し、かつ、軸部を回転規制し、前後方向移動自在に支持する軸支持部を設け、前記軸部を弾性部材により常に前記パネル部側に移動するように付勢した換気口において、前記軸部の円筒形の外周部に係合突部を設け、前記パネル部を前後方向に移動操作することによる前記軸部の前後方向の移動にともなって、前記回転体を回転、あるいは前記軸部を所定位置に保持する連続的な係合凹部を設けたことを特徴とする換気口としたものである。
【００１０】
この手段の構成により、全閉から全開の間で開口調節を設けることができる構造の換気口が得られる。
【００１１】
また、本発明の換気口は、回転体は、軸方向に２分割して形成したものである。
【００１２】
また、本発明の換気口は、軸支持部は、前方から着脱可能としたものである。
【００１３】
また、本発明の換気口は、パネル部裏面に本体部の筒状内側に沿うガイドを設けたものである。
【００１４】
また、本発明の換気口は、フィルターを前記本体部筒状内部の後方に設けたものである。
【００１５】
また、本発明の換気口は、吸音部材を前記本体部筒状内部に設けたものである。
【発明の効果】
【００１６】
本発明の換気口によれば、この手段の構成により、全閉から全開の間で開口調節位置を設けることができる構造の換気口を提供することができる。
【００１７】
また、設置されたままでも容易にメンテナンスすることができる。
【発明を実施するための最良の形態】
【００１８】
本発明の請求項１に記載の換気口は、室内と室外を連通する通風路を形成する筒状の本体部と、前記本体部の前面開口部に前後方向移動自在に配設され、この前面開口部を開閉するパネル部とを有し、前記パネル部の裏面に、円筒形と前記円筒形の前記パネル部側に回転が規制される形状からなる軸部を設け、前記本体部内に筒状で前記軸部をその内部に前後方向移動自在に支持する回転体を設け、前記回転体を回転自在に支持し、かつ、軸部を回転規制し、前後方向移動自在に支持する軸支持部を設け、前記軸部を弾性部材により常に前記パネル部側に移動するように付勢した換気口において、前記軸部の円筒形の外周部に係合突部を設け、前記パネル部を前後方向に移動操作することによる前記軸部の前後方向の移動にともなって、前記回転体を回転、あるいは前記軸部を所定位置に保持する連続的な係合凹部を設けたことを特徴としたものであり、回転体の内周面に溝を連続的に形成することで、全閉から全開の間で開口調節位置する係合位置を設けることができる作用を有する。
【００１９】
本発明の請求項２に記載の換気口は、回転体は、軸方向に２分割して形成したものであり、組立てが容易にできるという作用を有する。
【００２０】
本発明の請求項３に記載の換気口は、軸支持部は、前方から着脱可能にされているものであり、本体部を設置したまま本体部内のメンテナンスができるという作用を有する。
【００２１】
本発明の請求項４に記載の換気口は、開口部の下面から吹出しをなくすことで冬期における冷気のドラフト感を低減することができるという作用を有する。
【００２２】
本発明の請求項５に記載の換気口は、フィルターを前記本体部筒状内部の後方に設けたものであり、フィルターに付着して滴下した水分を室内側にたらすことなく、ダクトを通して屋外に排出するという作用を有する。
【００２３】
本発明の請求項６に記載の換気口は、吸音部材を前記本体部筒状内部に設けたものであり、吸音部材を装着できることで屋外から侵入する騒音を低減するという作用を有する。
【００２４】
以下、本発明の実施の形態１について、図１〜図１９を参照しながら説明する。
【００２５】
（実施の形態１）
図１〜図５に示すように、室内と室外を連通する換気風路を形成するダクト（図示せず）の室内側開口端部に嵌挿する筒状で筒内を通風路１とし、前部にはフランジ部２を設けた本体部３と、本体部３の前面に前後方向移動自在に配設されるパネル部４とを有し、パネル部４の裏面に、円筒形５と円筒形５のパネル部４側に回転が規制される形状からなる軸部６を設ける。軸部６は円筒状の回転体７に前後方向移動自在に収納される。軸部６は、軸部６を回転規制して前後方向移動自在に支持し、回転体７を回転自在に支持する軸支持部８に挿通し、回転体７は軸支持部８と本体部３の筒内に設けられた回転体７を回転自在に支持する回転体支持部９内に収納され、軸支持部８は回転体支持部９に嵌合される。また、軸部６は、回転体支持部９に固定された弾性部材１０によって、常にパネル部４側に移動するように付勢されている。そして、軸部６の円筒形５の外周部にパネル部４側に半円筒状の面１１を反パネル部４側に傾斜状の面１２を形成した係合突部１３を設けている。一方、回転体７は軸方向に２分割してそれぞれ略円筒状の前部回転体１４と後部回転体１５からなり、内周面に、軸部６の前後方向移動にともなって回転体７を回転あるいは所定位置に固定させるパネル部４側に半円筒状の面１６、１７、１８と傾斜状の面１９、２０、２１と反パネル部４側に傾斜状の面２２、２３、２４からなる係合凹部２５を設けている。
【００２６】
パネル部４の裏面には全閉時の隙間をなくす弾性パッキン２６が貼付されている。
【００２７】
上記構成において、パネル部４が全開の状態から全閉の状態に移る場合の作用について説明する。
【００２８】
図５および図６に示す全開の状態において、パネル部４を押して軸部６を押し込んでいくと、図７に示すように、係合突部１３の傾斜状の面１２と係合凹部２５の傾斜状の面２２とが当接し、さらに軸部６が押し込まれていくと、図８に示すように、係合突部１３の傾斜状の面１２と係合凹部２５の傾斜状の面２２によって、回転体７は回転して、上記傾斜状の面１２と傾斜状の面２２とが係合する。そして、パネル部４を押しきりパネル部４を離すと、図９に示すように、弾性部材１０の弾性力によって軸部６はパネル部４側に押し返され、係合突部１３の半円筒状の面１１と係合凹部２５の傾斜状の面１９とが当接する。さらに、弾性部材１０の弾性力によって軸部６が押し返されると、係合突部１３の半円筒状の面１１と係合凹部２５の傾斜状の面１９によって、回転体７は回転し、図１０および図１１に示すように、係合突部１３の半円筒状の面１１が係合凹部２５の半円筒状の面１６と係合して軸部６の位置が保持され、パネル部４は全閉の状態となる。
【００２９】
次に、パネル部４を全閉の状態から半開の状態に移る場合の作用について説明する。
【００３０】
図１１に示す全閉の状態において、パネル部４を押して軸部６を押し込んでいくと、図１２に示すように、係合突部１３の傾斜状の面１２と係合凹部２５の傾斜状の面２３とが当接し、さらに軸部６が押し込まれていくと、図１３に示すように、係合突部１３の傾斜状の面１２と係合凹部２５の傾斜状の面２３によって、回転体７は回転して、上記傾斜状の面１２と傾斜状の面２３とが係合する。そして、パネル部４を押しきりパネル部４を離すと、図１４に示すように、弾性部材１０の弾性力によって軸部６はパネル部４側に押し返され、係合突部１３の半円筒状の面１１と係合凹部２５の傾斜状の面２０とが当接する。さらに、弾性部材１０の弾性力によって軸部６が押し返されると、係合突部１３の半円筒状の面１１と係合凹部２５の傾斜状の面２０によって、回転体７は回転し、図１５および図１６に示すように、係合突部１３の半円筒状の面１１が係合凹部２５の半円筒状の面１７と係合して軸部６の位置が保持され、パネル部４は半開の状態となる。
【００３１】
次に、パネル部４を半開の状態から全開の状態に移る場合の作用について説明する。
【００３２】
図１６に示す半開の状態において、パネル部４を押して軸部６を押し込んでいくと、図１７に示すように、係合突部１３の傾斜状の面１２と係合凹部２５の傾斜状の面２４とが当接し、さらに軸部６が押し込まれていくと、図１８に示すように、係合突部１３の傾斜状の面１２と係合凹部２５の傾斜状の面２３によって、回転体７は回転して、上記傾斜状の面１２と傾斜状の面２４とが係合する。そして、パネル部４を押しきりパネル部４を離すと、図１９に示すように、弾性部材１０の弾性力によって軸部６はパネル部４側に押し返され、係合突部１３の半円筒状の面１１と係合凹部２５の傾斜状の面２１とが当接する。さらに、弾性部材１０の弾性力によって軸部６が押し返されると、係合突部１３の半円筒状の面１１と係合凹部２５の傾斜状の面２１によって、回転体７は回転し、図５および図６に示すように、係合突部１３の半円筒状の面１１が係合凹部２５の半円筒状の面１８と係合して軸部６の位置が保持され、パネル部４は全開の状態となる。
【００３３】
このように、回転体７の内周面に係合凹部２５を形成することで、全閉から全開の間で開口調節する係合位置を設けることができることとなる。
【００３４】
また、本体部３に回転体支持部９を設けて、軸支持部８を嵌合させる構成とすることで、室内に設置された本体部３をはずすことなく、本体部３内の部品をはずすことができることとなり、メンテナンスを容易にすることができる。
【００３５】
以下、本発明の実施の形態２について、図２０〜図２１を参照しながら説明する。
【００３６】
（実施の形態２）
図２０および図２１に示すように、パネル部４Ａの裏面に、本体部３Ａの通風路１Ａ内の下方に沿う略半円筒状のガイド２７を設けた構成とする。
【００３７】
上記構成により、ガイド２７によって、室内への空気の流入が開口の上部と側部になり、開口の下部からは直接流れ込まないこととなる。
【００３８】
また、ガイド２７を本体部３Ａの通風路１Ａ内の下方に沿う略半円筒状の形状にすることで、パネル部４Ａの全開の状態、全閉の状態、半開の状態への操作に影響を及ぼすことはない。
【００３９】
このように本発明の実施の形態２の換気口によれば、パネル部４Ａの裏面に、本体部３Ａの通風路１Ａ内の下方に沿う略半円筒状のガイド２７を設けた構成とすることで、室内への空気の流入が開口の上部と側部になり、開口の下部からは直接流れ込まない。
【００４０】
このことにより、冬季の冷たい空気は開口の下部から流入がなくなり、人体におよぼす冷風感を低減することができる。
【００４１】
以下、本発明の実施の形態３について、図２２〜図２４を参照しながら説明する。
【００４２】
（実施の形態３）
図２２〜図２４に示すように、本体部３Ｂの通風路１Ｂ内に挿入可能な円形状で軸支持部８Ｂを貫通する穴２８を設けたフィルター２９を本体部３Ｂの通風路１Ｂ内の後方に装着する。フィルター２９は通風路１Ｂ内か軸支持部８Ｂもしくは回転体支持部９Ｂに設けられたフィルター保持部３０によって保持される構成とする。
【００４３】
上記構成により、フィルター２９に付着して滴下した水分を室内側にたらすことなく、ダクトを通して屋外に排出することができることとなる。
【００４４】
このように本発明の実施の形態３の換気口によれば、本体部３Ｂの通風路１Ｂ内の後方にフィルター２９を設けた構成とすることで、フィルター２９に付着して滴下した水分を室内側にたらすことなく、ダクトを通して屋外に排出することができる。
【００４５】
以下、本発明の実施の形態４について、図２５〜図２７を参照しながら説明する。
【００４６】
（実施の形態４）
図２５〜図２７に示すように、本体部３Ｃの通風路１Ｃ内に挿入可能な吸音部材３１を装着した構成とする。
【００４７】
上記構成により、吸音部材３１を装着することにより屋外から侵入する騒音を低減できることとなる。
【００４８】
このように本発明の実施の形態４の換気口によれば、本体部３Ｃの通風路１Ｃ内に吸音部材３１を設けた構成とすることで、屋外から侵入する騒音を低減できる。
【産業上の利用可能性】
【００４９】
本発明の換気口は、室内側と室外側を連通するように天井面、壁面に設けられるダクトに装着され、開口調節が容易にでき、また、メンテナンスしやすい室内を換気する換気口にとして有用である。
【図面の簡単な説明】
【００５０】
【図１】本発明の実施の形態１の換気口の構成を示す斜視図
【図２】本発明の実施の形態１の換気口の軸部を示す斜視図
【図３】本発明の実施の形態１の換気口の回転体を示す断面図
【図４】本発明の実施の形態１の換気口の回転体を示す断面図
【図５】本発明の実施の形態１の換気口の調節機構を示す断面図
【図６】本発明の実施の形態１の換気口の調節機構を示す断面図
【図７】本発明の実施の形態１の換気口の調節機構を示す断面図
【図８】本発明の実施の形態１の換気口の調節機構を示す断面図
【図９】本発明の実施の形態１の換気口の調節機構を示す断面図
【図１０】本発明の実施の形態１の換気口の調節機構を示す断面図
【図１１】本発明の実施の形態１の換気口の調節機構を示す断面図
【図１２】本発明の実施の形態１の換気口の調節機構を示す断面図
【図１３】本発明の実施の形態１の換気口の調節機構を示す断面図
【図１４】本発明の実施の形態１の換気口の調節機構を示す断面図
【図１５】本発明の実施の形態１の換気口の調節機構を示す断面図
【図１６】本発明の実施の形態１の換気口の調節機構を示す断面図
【図１７】本発明の実施の形態１の換気口の調節機構を示す断面図
【図１８】本発明の実施の形態１の換気口の調節機構を示す断面図
【図１９】本発明の実施の形態１の換気口の調節機構を示す断面図
【図２０】本発明の実施の形態２の換気口の調節機構を示す斜視図
【図２１】本発明の実施の形態２の換気口の調節機構を示す断面図
【図２２】本発明の実施の形態３の換気口の調節機構を示す斜視図
【図２３】本発明の実施の形態３の換気口の調節機構を示す斜視図
【図２４】本発明の実施の形態３の換気口の調節機構を示す断面図
【図２５】本発明の実施の形態４の換気口の調節機構を示す斜視図
【図２６】本発明の実施の形態４の換気口の調節機構を示す斜視図
【図２７】本発明の実施の形態４の換気口の調節機構を示す断面図
【図２８】従来の換気口の構成を示す斜視図
【符号の説明】
【００５１】
１、  通風路
１Ａ  通風路
１Ｂ  通風路
１Ｃ  通風路
３、３Ａ、３Ｂ、３Ｃ  本体部
４、４Ａ  パネル部
５    円筒形
６    軸部
７    回転体
８、８Ｂ    軸支持部
９、９Ｂ    回転体支持部
１０  弾性部材
１３  係合突部
１４  前部回転体
１５  後部回転体
２５  係合凹部
２７  ガイド
２９  フィルター
３１  吸音部材
【図１】
2006242446.tif 000003
【図２】
2006242446.tif 000004
【図３】
2006242446.tif 000005
【図４】
2006242446.tif 000006
【図５】
2006242446.tif 000007
【図６】
2006242446.tif 000008
【図７】
2006242446.tif 000009
【図８】
2006242446.tif 000010
【図９】
2006242446.tif 000011
【図１０】
2006242446.tif 000012
【図１１】
2006242446.tif 000013
【図１２】
2006242446.tif 000014
【図１３】
2006242446.tif 000015
【図１４】
2006242446.tif 000016
【図１５】
2006242446.tif 000017
【図１６】
2006242446.tif 000018
【図１７】
2006242446.tif 000019
【図１８】
2006242446.tif 000020
【図１９】
2006242446.tif 000021
【図２０】
2006242446.tif 000022
【図２１】
2006242446.tif 000023
【図２２】
2006242446.tif 000024
【図２３】
2006242446.tif 000025
【図２４】
2006242446.tif 000026
【図２５】
2006242446.tif 000027
【図２６】
2006242446.tif 000028
【図２７】
2006242446.tif 000029
【図２８】
2006242446.tif 000030